Podtech/llm-jp-corpus-v4-ja_patent huggingface dataset:
(57)【要約】      （修正有）【課題】弾性、透気性及び滑り防止の機能を有する滑り防止透気弾性マットの提供。【解決手段】一つの底層１２と、一つの支え層１４と、一つの頂層１６とを含む。底層１２は、滑り防止効果がある発泡材質で製作されている。支え層１４は、弾性材質で一体成形して製作され、一つの第一介層と、多数の支え柱と、一つの第二介層とを含む。第一介層は底層１２の表面に貼り置かれ、多数の支え柱は第一介層の表面に立設され、第二介層は各支え柱に連接している。頂層１６は、滑り防止効果がある発泡材質で製作され、第二介層の表面に貼り置かれている。滑り防止透気弾性マット１０は、内部の支え柱の間に沢山のすき間が形成されているため、支え層１４に非常に良い弾性を生じ、又、底層１２及び頂層１６の吸震性を配合して、非常に良好な弾性及び吸震性を得ることができる。【選択図】図１
0003113564.tif 000002
【実用新案登録請求の範囲】
【請求項１】
一つの底層と、一つの支え層と、一つの頂層とを含む滑り防止透気弾性マットであって、
前記底層は、滑り防止効果がある発泡材質で製作され、
前記支え層は、弾性材質で一体成形して製作され、一つの第一介層と、多数の支え柱と、一つの第二介層とを含み、前記第一介層は前記底層の表面に貼り置かれ、前記多数の支え柱は前記第一介層の表面に立設され、前記第二介層は各前記支え柱に連接され、
前記頂層は滑り防止効果がある発泡材質で製作され、前記第二介層の表面に貼り置かれるように構成されていることを特徴とする滑り防止透気弾性マット。
【請求項２】
前記底層及び頂層は、天然ゴム（ＮＲ）、合成ゴム（ＰＵ）、ポリ塩化ビニル（ＰＶＣ）或いはスチレンブタジエンゴム（ＳＢＲ）の発泡材質のいずれかを発泡して形成されていることを特徴とする請求項１記載の滑り防止透気弾性マット。
【請求項３】
前記支え層は、天然ゴム（ＮＲ）、ナイロン（NYLON）、ポリエチレン（ＰＥ）或いはポリエステル（POLYESTER）繊維のいずれかの弾性材質で形成されていることを特徴とする請求項１記載の滑り防止透気弾性マット。
【考案の詳細な説明】
【技術分野】
【０００１】
本考案は、弾性マットに関し、更に詳しく言うと、一種の滑り防止透気弾性マットに関するものである。
【背景技術】
【０００２】
周知の人体を保護して外物の直接衝撃を避けることができる弾性マット体は、一般では、クッション効果があるエアマット或いは発泡材料（例えば、ゴム、ＳＢＲ、ＰＶＣ、ＰＰ、ＰＵ或いはＥＶＡ等）で作られている。この中で、発泡材料で作られている弾性マット体は、物性の制限によって、通常では、只クッション、吸震（即ち、衝撃力を吸収する）或いは高弾性（逆弾性、外力を反抗してなくす）の単一効果があるだけであって、同時に二種類の効果を兼ね得ることができない。
【考案の開示】
【考案が解決しようとする課題】
【０００３】
しかしながら、上記で述べたように、周知の弾性マットは、只クッション、吸震或いは高弾性の単一効果があるだけで、二種の効能を同時に兼ね得ることができない点がある。
【課題を解決するための手段】
【０００４】
本考案は、上記の点を解決するためになされたものであり、一種の滑り防止透気弾性マットを提供して、弾性と吸震性が良く、尚且つ粘着剤を使用する必要がなく、貼り合わせができるもので、その構成は、一つの底層と、一つの支え層と、一つの頂層とを含むもので、弾性、透気性、滑り防止の多種の機能を得る効果が達成される。
【考案を実施するための最良の形態】
【０００５】
以下、図面に従って本考案の一つの比較的良い実施例を詳細に説明する。
図１及び図２を参照する。本考案の一実施例による滑り防止透気弾性マット１０は、運動用マット体等の用品に使用することができる。この際は、一つの底層１２、一つの支え層１４及び一つの頂層１６で構成される。
【０００６】
該底層１２は、滑り防止効果がある発泡材質の材料で作られた多孔発泡体であり、例えば、天然ゴム（ＮＲ）、合成ゴム（ＰＵ）、ポリ塩化ビニル（ＰＶＣ）或いはスチレンブタジエンゴム（ＳＢＲ）等の発泡材質であり、本実施例では天然ゴムである。
【０００７】
該支え層１４は、弾性材質の一体成形で製作されたものであり、例えば、天然ゴム（ＮＲ）、ナイロン（NYLON）、ポリエチレン（ＰＥ）或いはポリエステル（POLYESTER）繊維等の弾性材質である。該支え層１４は、一つの第一介層２２、多数本の支え柱２４及び一つの第二介層２６を含む。該第一介層２２は、該底層１２の表面に貼り置かれている。該多数本の支え柱２４は、該第一介層２２の表面に立設されている。該第二介層２６は、各該支え柱２４に連接し、本実施例ではポリエステル繊維が使用されている。
【０００８】
該頂層１６は、滑り防止効果がある発泡材質で製作された多孔発泡体が使用され、例えば、天然ゴム（ＮＲ）、合成ゴム（ＰＵ）、ポリ塩化ビニル（ＰＶＣ）或いはスチレンブタジエンゴム（ＳＢＲ）等の発泡材であり、本実施例では天然ゴムが使用されている。
【０００９】
該滑り防止透気弾性マット１０の製作の時は、底層１２及び頂層１６を支え層１４の底側及び頂側に置いて発泡を進行し、これによって、該底層１２及び頂層１６の原料が発泡した時に生じる力及び含んでいる発泡剤が化学変化を生じる時に形成される気体圧力によってこの三つのものを貼り合わせる。
【００１０】
これで、該滑り防止透気弾性マット１０の内部の支え柱２４の間に沢山のすき間が形成され、これによって、該支え層１４に非常に良い弾性を生じさせ、又、該底層１２及び頂層１６の吸震性を配合して、該滑り防止透気弾性マット１０は非常に良好な弾性及び吸震性を得ることができる。尚且つ、該支え層１４の設置によって、該底層１２と頂層１６の厚さを減らすことができ、発泡材料の使用も減り、並びに全体の重さも減る。この外に、該底層１２、頂層１６及び支え層１４も粘着剤を利用して貼り合わせをする必要がないので、環境保護の概念がある。
特に付け加えて述べることは、該底層１２と頂層１６は違った発泡材を使用することもでき、これによって、違った吸震効果を得ることもできる。
【００１１】
上記で述べたように、本考案は、只非常に良い弾性及び吸震性を兼ね得ることができる外に、粘着剤を使用する必要がなく、貼り合わせができて、発泡材料の使用も減り、進んで全体の重量が比較的軽い効果を得ることができる。
【図面の簡単な説明】
【００１２】
【図１】本考案の一実施例による滑り防止透気弾性マットを示す斜視図である。
【図２】本考案の一実施例による滑り防止透気弾性マットを示す断面図である。
【符号の説明】
【００１３】
１０  滑り防止透気弾性マット、１２  底層、１４  支え層、１６  頂層、２２  第一介層、２４  支え柱、２６  第二介層、
【図１】
0003113564.tif 000003
【図２】
0003113564.tif 000004
【手続補正書】
【提出日】平成17年6月9日(2005.6.9)
【手続補正１】
【補正対象書類名】実用新案登録請求の範囲
【補正対象項目名】請求項３
【補正方法】変更
【補正の内容】
【請求項３】
前記支え層は、天然ゴム（ＮＲ）、ナイロン（NYLON：登録商標）、ポリエチレン（ＰＥ）或いはポリエステル（POLYESTER）繊維のいずれかの弾性材質で形成されていることを特徴とする請求項１記載の滑り防止透気弾性マット。
(57)【要約】      （修正有）【課題】ドリンク缶に必ずあるタブに常備して爪やマニキュアを気にせずに、また指の太い人でも老人でも簡単にタブを起こすことを可能にしたドリンク缶タブ常備式ネイルプロテクタ−フィンガ−リボンの提供。【解決手段】ドリンク缶工場出荷時はタブの先端にしっかり巻き付いて動かないように結合しているが、使用時はタブの先端を軸に上方向に半回転してスム−ズに動くことを可能にした柔軟性回転指式タブジョイント部と指で持ちやすくするために、指の当たる先端を平面から少々上方向へ角度を付け、起して且つ厚くしてあるフィンガ−ガイド部を備えたドリンク缶タブ常備式ネイルプロテクタ−フィンガ−リボン。【選択図】図５
0003113565.tif 000002
【実用新案登録請求の範囲】
【請求項１】
ドリンク缶工場出荷時は、タブの先端にしっかり巻き付いて動かないように結合しているが、使用時はタブの先端を軸に上方向に半回転してスム−ズに動くことを可能にした柔軟性回転式タブジョイント部と指で本考案物を持ちやすくするために指の当たる先端を少々上方向へ起して且つ厚くしてあるフィンガ−ガイド部を備えたドリンク缶タブ常備式ネイルプロテクタ−フィンガ−リボン。
【考案の詳細な説明】
【技術分野】
【０００１】本考案は、ドリンク缶に必ずあるタブに常備して爪やマニキュアを気にせずに、また指の太い人でも老人でも簡単にタブを起こすことを可能にしたドリンク缶タブ常備式ネイルプロテクタ−フィンガ−リボンに関する。
【背景技術】
【０００２】ドリンク缶の飲み口に必ずあるタブは、昔から全く変化がなく、使用しにくいものであった。特に現在は、爪のおしゃれをする女性が欧米諸国並に我国でも多くなり、付け爪やマニキュアなどは日常的に盛んに行われている。彼女らにとって従来型のタブは、長く伸ばした爪を折ったり、付け爪が取れてしまったり、マニキュアがはがれてしまったりなど、問題点が多く、使いづらく人気がなかった。また、指の太いタイプの男性や力のない老人の方にとっても使いづらいものであった。
【考案の開示】
【考案が解決しようとする課題】
【０００３】従来型のドリンク缶タブは、
１、通常の長さの爪でも傷めることがある。
２、マニキュアが、はがれてしまう危険性が高い。
３、付け爪があると、使用することが出来ない。
４、長くしている爪を折ってしまう危険性が高い。
５、指の太い人は、缶の縁とタブの先端の間に指が入らない。
６、老人は缶の縁とタブの間にうまく指を入れられたとしても、力がなく、タブを持ち上げることが出来ない。
７、小さい子供は親に頼まないと指の力が弱いため開ける事が出来ない。
などの、欠点が存在した。
それらを全て解決することが課題である。
【課題を解決するための手段】
【０００４】そこで
１、ドリンク缶工場出荷時はタブの先端にしっかり巻き付いて動かないように結合しているが、使用時はタブの先端を軸に上方向に半回転してスム−ズに動くことを可能にした柔軟性回転指式タブジョイント部と
２、指で持ちやすくするために、指の当たる先端を平面から少々上方向へ角度を付け、起して且つ厚くしてあるフィンガ−ガイド部を備えたドリンク缶タブ常備式ネイルプロテクタ−フィンガ−リボンを考案した
【考案の効果】
【０００５】１、タブを引っ張り上げる時、タブに付いているネイルプロテクタ−フィンガ−リボンを使用することにより、全く爪や付け爪やマニキュアを傷めない。
２、指の太さに関係なくタブを引っ張り上げることが簡単に出来る。
３、力のない、老人でもネイルプロテクタ−フィンガ−リボンのテコ的原理で力をあまり入れなくてもタブを引っ張り上げることが出来る。
４、指の先端に力のない小さい子供でも一人でタブを引っ張り上げることが出来る。
５、従来型のタブをそのまま活用する方式なので、コストがかからない。
６、アルミ缶やスチ−ル缶であっても缶と同素材のものを使用して、ネイルプロテクタ−フィンガ−リボンを製作常備するので、リサイクル上の問題も心配がない。
７、ネイルプロテクタ−フィンガ−リボンは、柔軟性のあるミリ単位の薄い素材であれば、十分なので加工がとても簡単である。
【考案を実施するための最良の形態】
【０００６】本考案に係る「ドリンク缶タブ常備式ネイルプロテクタ−フィンガ−リボン」は、図１に示すように
Ａ・柔軟性回転式タブジョイント部
Ｂ・ボ−ディ−本体部
Ｃ・フィンガ−ガイド部
を主体的構成部分として形成されている。なお、ＡからＣの主体的構成部分は各部が一帯となり目的達成のための最良の形態となっている。
全体的素材は軽量且つある程度柔軟性がある必要があり、工場出荷時であれば、ネイルプロテクタ−フィンガ−リボンは缶にぴったりフィットした形でスマ−トに収納されているため、箱に収納するパッケ−ジ作業も従来通りであるし、自動販売機においても、従来通り使用可能であるが、使用時は、Ｃのフィンガ−ガイド部の使用により簡単にネイルプロテクタ−フィンガ−リボンを指で持つことが出来て便利である。
アルミ缶やスチ−ル缶など缶と同素材を使用するので、リサイクル上の問題点も全くないと言える。
【図面の簡単な説明】
【０００７】
【図１】  本考案物がドリンク缶に常備している状態の全体図である。
【図２】  本考案物とタブを真上から見た拡大図である。
【図３】  本考案物のみを真横から見た拡大図である。
【図４】  本考案物がドリンク缶に常備している状態の参考図である。（写真）
【図５】  本考案物がドリンク缶に常備している状態の参考図である。（写真）
【符号の説明】
【０００８】Ａ・柔軟性回転式タブジョイント部
Ｂ・ボディ−本体部
Ｃ・フィンガ−ガイド部
【図１】
0003113565.tif 000003
【図２】
0003113565.tif 000004
【図３】
0003113565.tif 000005
【図４】
0003113565.tif 000006
【図５】
0003113565.tif 000007
(57)【要約】      （修正有）【課題】ＭＳ及びＭＳ  Ｄｕｏに同時適用可能な両用のメモリーカードのアダプターを提供する。【解決手段】ベース１０と蓋体２０から構成されるアダプターにおいて、ベース１０はＭＳ及びメモリーカード３０及び、ＭＳ  Ｄｕｏメモリーカード４０の導電片に対応する柵状の位置決めブロック１１を有する。ＭＳメモリーカード３０及び、ＭＳ  Ｄｕｏメモリーカード４０は導電片３１、導電片４１が凹んでいて、その凹みの深さが異なっていてもそれぞれの導電片３１、導電片４１を配置する位置とメモリーカードのもう一方の面との間の距離が同じであるという特性を有し、ベース１０の柵状の位置決めブロック１１により、メモリーカード３０、メモリーカード４０を位置決めすることが可能である。位置決めブロック１１は位置決め機能のほかに、ＭＳメモリーカード３０及び、ＭＳ  Ｄｕｏメモリーカード４０を逆さに差し込むことを防止することが可能である。【選択図】図１
0003113581.tif 000002
【実用新案登録請求の範囲】
【請求項１】
ベースと蓋体から構成され、ベースがＭＳ（Memory  Stick）及びＭＳ  Ｄｕｏ（Memory  Stick  Duo）メモリーカードの導電片に対応する柵状の位置決めブロックを有することを特徴とする両用のモリーカードのアダプター。
【考案の詳細な説明】
【技術分野】
【０００１】
本考案は、両用のメモリーカードのアダプターに関し、特に言えばＭＳ及びＭＳ  Ｄｕｏメモリーカードに対応する両用のメモリーカードのアダプターに関する。
【背景技術】
【０００２】
現在、ＭＳ（Memory  Stick）及びＭＳ  Ｄｕｏ（Memory  Stick  Duo）メモリーカードを共用するためのアダプターは市販されていない。またＭＳ及びＭＳ  Ｄｕｏメモリーカードともその導電片（接点）はメモリーカードの表面から凹んだ位置にあり、特にＭＳは厚さが比較的厚いため、その導電片の凹みの深さがＭＳ  Ｄｕｏより深く、この二つのメモリーカードの導電片を配置する位置とメモリーカードのもう一方の面との間の距離はだいたい同じである。
【考案の開示】
【考案が解決しようとする課題】
【０００３】
したがって、本考案は、上記の問題を解決するためになされたものであり、ＭＳ及びＭＳ  Ｄｕｏに同時適用可能な両用のメモリーカードのアダプターを提供することを目的とする。
【０００４】
本考案のもう一つの目的は、メモリーカード逆挿し防止機構を有する両用のメモリーカードのアダプターを提供することにある。
【課題を解決するための手段】
【０００５】
上述の目的を達成するために本考案の請求項に記載の両用のメモリーカードのアダプターは、その構造の特徴は、ベースと蓋体から構成されるアダプターにおいて、ベースがＭＳ及びＭＳ  Ｄｕｏメモリーカードの導電片に対応する柵状の位置決めブロックを有することである。
【考案を実施するための最良の形態】
【０００６】
以下、本考案の実施例を図面に基づいて説明する。
図１に示すように、本考案の実施例はベース１０と蓋体２０から構成されるアダプターにおいて、ベース１０はＭＳ及びメモリーカード３０及び、ＭＳ  Ｄｕｏメモリーカード４０の導電片に対応する柵状の位置決めブロック１１を有するものである。
【０００７】
上述の構造により、ＭＳメモリーカード３０及び、ＭＳ  Ｄｕｏメモリーカード４０は導電片３１、導電片３４が凹んでいて、その凹みの深さが異なっていてもそれぞれの導電片３１、導電片４１を配置する位置とメモリーカードのもう一方の面との間の距離が同じであるという特性を有するため、本考案はベース１０の柵状の位置決めブロック１１により、メモリーカード３０、メモリーカード４０を位置決めすることが可能である。かつ位置決めブロック１１は長さが短いため、アダプター内部の接点（図中未表示）とメモリーカードの電気的な接続に影響することはない。また図２と図３に示すように、位置決めブロック１１は位置決め機能のほかに、ＭＳメモリーカード３０及び、ＭＳ  Ｄｕｏメモリーカード４０を逆さに差し込むことを防止することが可能である。したがって、本考案の実施例はベース１０の柵状の位置決めブロック１１により、導電片が凹んでいるＭＳメモリーカード３０及び、ＭＳ  Ｄｕｏメモリーカード４０を位置決めすることが可能であるため、ＭＳ及びＭＳ  Ｄｕｏに同時に適用可能であることが判明した。
【図面の簡単な説明】
【０００８】
【図１】ＭＳ及びＭＳ  Ｄｕｏに同時適用可能な本考案の実施例による構造を説明する模式図である。
【図２】本考案の実施例によりのＭＳを逆さに差し込むことを防止する機能を説明する模式図である。
【図３】本考案の実施例によりＭＳ  Ｄｕｏを逆さに差し込むことを防止する機能を説明する模式図である。
【符号の説明】
【０００９】
１０  ベース、１１  位置決めブロック、２０  蓋体、３０  ＭＳメモリーカード、３１  導電片、４０  ＭＳ  Ｄｕｏメモリーカード、４１  導電片
【図１】
0003113581.tif 000003
【図２】
0003113581.tif 000004
【図３】
0003113581.tif 000005
【手続補正書】
【提出日】平成17年6月9日(2005.6.9)
【手続補正１】
【補正対象書類名】実用新案登録請求の範囲
【補正対象項目名】請求項１
【補正方法】変更
【補正の内容】
【請求項１】
ベースと蓋体から構成され、ベースがＭＳ（Memory Stick：登録商標）及びＭＳ  Ｄｕｏ（Memory Stick Duo：登録商標）メモリーカードの導電片に対応する柵状の位置決めブロックを有することを特徴とする両用のモリーカードのアダプター。
(57)【要約】      （修正有）【課題】数種類の食品を同時に調理して、料理の時間や手間を省き、しかもガス代まで節約できる、効率の良いセイロ鍋を提供する。【解決手段】鍋１の底部の内径と、網２の直径とを一致させ、段差７を設けたつば３つきの円盤とを接着させて一体化し、分離できないように装着させた取っ手４つきのセイロ鍋を提供する。【選択図】図１
0003113589.tif 000002
【実用新案登録請求の範囲】
【請求項１】
空洞にした鍋の底部と、その内径を網状にし、段差を設けたより幅広い平板なつばとを接着させ、分離できないように施したセイロ鍋。
【請求項２】
請求項１について、網状の部分を頂上に平板に設け、つばの部分を傾斜にしたセイロ鍋。
【考案の詳細な説明】
【技術分野】
【０００１】本考案はセイロ鍋に関するものである。
［背景技術］【０００２】従来セイロ鍋といえば、たとえばもち米をふかしたり、芋料理に使用するときにのみ用いられ、木製品で数段重ねて行なわれてきた。しかしその調理は一種類の食品しか調理できず、次々と続けていく場合、前の食物が出来上るまで待っているか、その間他の準備をすることができても、燃料や時間、また手間が余分にかかって能率も上らなかった。
［考案の開示］
［考案が解決しようとする課題］【０００３】一つの鍋で、数種類の料理を同時に行ない、しかも時間や手間が省け、ガス代の節約にも効果の上がるセイロ鍋の利用方法を考えた。
［考案を解決するための手段］【０００４】底部の開いた鍋の素材と同一の製品を平板な円形にし、鍋の底部と等しい内径を持つ中央部に網状の穴を設ける。次に鍋の底部と網状の部分が完全にはめこむように接着させて一体化させ、分離できないように施して、セイロ鍋とする。さらにセイロ鍋の上部両側に取っ手をつけて、段差のついているつばを、本来の料理鍋の上にのせて料理する。【０００５】中央を網状に設けた円盤を、網の部分全体を頂上にした山形のつばにして、底部の開いた鍋とを接着させ、分離できないように一体化させたセイロ鍋の考案も利用価値があると認められる。
［考案の効果］【０００６】本考案は、上記のような構造及び使用法となっているので、同時に複数の料理を仕上げることができる。そのためにガス代は節約でき、時間も手間も省け、効率の良い調理鍋として使用できる。特に民宿や旅館等で使用すれば、同時に多数の料理もできるため、業務の能率向上にも貢献できる。また、つばの部分には数本の段差を設けてあるので、内径の異なる料理鍋を種々に用いて、料理の幅が広がるので、余分な鍋を使用する必要もなく、手際良く事を運ぶように改善することができる。
［考案を実施するための最良の形態］【０００７】本考案の最良の形態を以下に説明する。
（イ）鍋と同一の製品を用いて平板な円形にして、その中央部に網状の穴を設け［図３］、底部のない鍋（図２）と接着させ、分離できないように一体化させる（図１）
（ロ）つばに相当する部分には段差を設け（図４）、種々の内径を持つ多数の鍋を使い分けるように、数本の段差を施しておく。
（ハ）網状の部分を平板にし、つばの部分を傾斜させて段差を設けたセイロ鍋（図５）。
（ニ）上部のセイロ鍋の料理は、下部の鍋から出る湯気によって、ふかしたり、むしたり、あたためたりして、同時に複数の料理を仕上げる。
本考案は上記のような構造になっているため、簡単に使用でき、非常に効率の良いセイロ鍋である。尚、上下二つの鍋は着脱可能となっている。
【図面の簡単な説明】［図１］平板なつばを施したセイロ鍋の断面図
［図２］つばを接着させていない、底部に網のない鍋の断面図
［図３］円盤の中央部に網目を設けた、つばつきの底面図
［図４］網状の底部と、段差を施したつばの平板断面図
［図５］つばの部分を傾斜させたセイロ鍋の断面図
［図６］調理鍋を下にセットさせたセイロ鍋の断面図
［図７］平面図
【符号の説明】
１、セイロ鍋の本体    ２、網状の底部    ３、つばの部分
４、取っ手    ５、料理用の鍋    ６、セイロ鍋の蓋    ７、段差
【図１】
0003113589.tif 000003
【図２】
0003113589.tif 000004
【図３】
0003113589.tif 000005
【図４】
0003113589.tif 000006
【図５】
0003113589.tif 000007
【図６】
0003113589.tif 000008
【図７】
0003113589.tif 000009
(57)【要約】      （修正有）【課題】蓄光顔料を練り込んだ塩化ビニール等の合成樹脂材料でつくられており、自然光や人工の光を蓄えて、暗闇時に発光するように構成されており、四角形の周りに凹凸の接合部分が施され、一つ一つをつなぎ合わせることができ、自由な大きさ、長さに敷設することができる敷物ピースを提供する。【解決手段】蓄光顔料を原材料に練り込み、ピースの周囲の接合部分を凹凸にする。約１５センチ四方と小さいピースにする。【選択図】図１
0003113580.tif 000002
【実用新案登録請求の範囲】
【請求項１】
蓄光顔料を練り込んだ塩化ビニール等の合成樹脂材料でつくられており、自然光や人工の光を蓄えて、暗闇時に発光するように構成されており、四角形の周りに凹凸の接合部分が施され、一つ一つをつなぎ合わせることができ、自由な大きさ、長さに敷設することができる敷物ピースである。
【考案の詳細な説明】
【考案の詳細な説明】
【技術分野】
【０００１】  本考案は，自然光や人口の光を蓄えて暗いところで発光する夜行性を融資、夜間や災害時に足元を識別するのに役立つ蓄光製品である。
また、蓄光顔料が練り込まれているので半永久的に効果がある。
また，四角形のピースとなっており、自由な大きさ、長さに敷設することができ、周囲に凹凸の接合部分が施されているので接合部分がはがれることがない。
【背景技術】
【０００２】  従来の蓄光敷物は蓄光顔料を布、不織布などの繊維に塗布するだけのものであり、蓄光顔料がはがれやすく、大きさの自在性がない。
【考案が解決しようとする課題】
【０００３】  以上のように，従来の技術ではいろいろな問題を抱えている。そこで本考案において，解決しようとする課題は次のようなものである。
▲１▼  蓄光顔料がはがれやすい。
▲２▼  製品となったとき大きさ、長さが限定されている。
▲３▼  持ち運びが不便である。
▲４▼  保管場所をとる。
【課題を解決するための手段】
【０００４】  本考案は，この目的を達成するために次のような手段を講じる。
▲１▼  蓄光顔料を原材料に練り込むことにより、半永久的に効果がある。
▲２▼  ピースの周囲の接合部分を凹凸にする。
▲３▼  約１５センチ四方と小さいピースにする。
【考案を実施するための最良の形態】
【０００５】  本考案のもっとも好ましい実施の形態を，添付図の図１，２に基づいて説明する。
図１において，１は夜行性蓄光敷物ピースの本体である。２は周囲の接合部分である
図２において，１は夜行性蓄光敷物ピースの本体である。２は周囲の接合部分である。
【考案の効果】
【０００６】  本考案による夜行性蓄光敷物ピースを使用することによって，次のような効果がある。
▲１▼  蓄光顔料を原材料に練り込むことにより、半永久的に効果がある。
▲２▼  ピースの周囲の接合部分を凹凸にすることにより、ピースとピースが容易にはがれない。また、ピースとつなぎ合わせることにより自由な大きさ、長さに敷設することができる。
▲３▼  約１５センチ四方と小さいピースにすることにより持ち運びが便利であり、保管場所をとらない。
【図面の簡単な説明】
【図１】  本考案による夜行性蓄光敷物ピースそのものを上部から見たときの完成図である。
【図２】  本考案による夜行性蓄光敷物ピースを２枚接合したものを斜めから見た図である。
【符号の説明】
１…………夜行性蓄光敷物ピースの本体
２…………夜行性蓄光敷物ピース周囲の接合部分である。
【図１】
0003113580.tif 000003
【図２】
0003113580.tif 000004
(57)【要約】【課題】キャシュトレーの内面底部を発光させて金銭決済処理時に光の透過性を利用し札の透かしを容易に目視する。【解決手段】キャシュトレー容器の開口部２の内面の凹の底部に平面発光体３を配置し、その上に札を置いたとき発光させる。【選択図】  図１
0003113577.tif 000002
【実用新案登録請求の範囲】
【請求項１】
上部を開口部２とする皿容器において、凹部の底に平面発光体３は半透明の樹脂よりなる表面パネル５と裏面パネル６との間に発光体７をバックライトとして設置し、発光体はリード線８を通して電源部９，スイッチ１０に接続する平面発光体３として配置し、凹部一側面上辺で一端がヒンジ結合するＬ字状の透明の札抑板１１を前記平面発光体３の上部に配置してなる平面発光体３がスイッチ１０の投入により発光し、札の透かしの目視を容易にすることを特徴とするキャッシュトレー。
【考案の詳細な説明】
【技術分野】
【０００１】  本考案は、皿容器の底部に平面発光体を配置してなるキャッシュトレーに関する。
【背景技術】
【０００２】  皿容器の開口部の凹部の底又は底中敷の上に札や銭を置き金銭決済処理に使用するキャッシュトレーが古来より知られている。
【考案の開示】
【考案が解決しようとする課題】
【０００３】  しかしながら、従来のキャッシュトレーは、金銭決済処理時に光が上方から入射するのみであるため札の透かしを目視することが困難である欠点があった。
【課題を解決するための手段】
【０００４】  本考案は、皿容器の開口部の凹部の底を平面にしてなるキャッシュトレーにおいて、前記した容器の底に平面発光体を配置し、上部を開口部としてなるキャッシュトレーという構成を具備することで、金銭決済処理時に平面発光体を発光させ、昼光色の光の透過を利用したため札の透かしを容易に目視することを実現し、これにより上記課題を解決するするものである。
【考案の効果】
【０００５】  本考案に係るキャッシュトレーは、半透明の樹脂よりなる表面パネルと発光するバックライトを主構成要素とする平面発光体を底に配置させたものを採用したため容易に製造ができ、店頭での使い勝手が良く、平面発光体が発光した昼光色の光の透過を利用したため金銭決済処理時に札の透かしが容易に目視確認でき偽札の摘出、又、行使抑止効果もあり、実用性に優れたものである。
【考案を実施するための最良の形態】
【０００６】  上部を開口部２とするキャッシュトレーにおいて、凹部の底に平面発光体３は半透明の樹脂よりなる表面パネル５と裏面パネル６との間に発光体７をバックライトとして設置し、発光体はリード線８を通して電源部９、スイッチ１０に接続する平面発光体として配置し、凹部一側面上辺で一端がヒンジ結合するＬ字状の透明の札抑板１１を前記平面発光体３の上部に配置してなる平面発光体がスイッチ１０の投入により発光し、札の透かしの目視を容易にすることを特徴とするキャッシュトレー。【０００７】  図１に示すように市販の皿容器、以下キャッシュトレー１といい、上部を開口部２とするキャッシュトレーにおいて、凹部の底に平面発光体３を配置する。図２は平面発光体３を示し、キャッシュトレーの底に固定する固定平面発光体と、キャッシュトレーの底に敷き置きする中敷平面発光体とがあり、両者の発光体部分を平面発光体という。平面発光体は、数個のダイオードや小型電球のバックライトを配置した半透明の樹脂よりなるパネル、若しくはバックライト付液晶、又は自発光のフラットパネルディスプレーよりなる市販の昼光色の光を発するパネルであって、１万円札より若干大きいパネルよりなる。
バックライトのダイオードや小型電球若しくはバックライト付液晶、又はフラットパネルディスプレーの電源は、上記器材の市販の一次電池、二次電池よりなる直流電源、又はインバーター付交流電源より構成し、電源部４は、図１のキャッシュトレーの側部等に固定、又は外部設置する構造であり、電源の入切はタッチパネル、タクトスイッチ又はキボードスイッチなど市販のＯＡ機器スイッチで行う構造である。【０００８】  図３に示すようキャッシュトレーの凹部一側面上辺で一端がヒンジ結合するＬ字状の透明の札抑板１１を前記平面発光体３の上部に配置してなる平面発光体がスイッチ１０の投入により発光し、札の透かしの目視を容易にすることを特徴とし、キャッシュトレーの底に平面発光体３を配置し、発光した昼光色の光が札の透かしを透過し目視できるように光量調整をする。
【産業上の利用可能性】
【０００９】  上記により完成した本考案のキャッシュトレーは、平面発光体が発光した昼光色の光が表面パネルの上に置いた札の透かしを透過し、開口部の上方より人が札の透かしを容易に目視でき、店頭における金銭決済処理時の偽札摘出、又、行使抑止効果もあり商取引上実用的であり、産業上の利用が有効である。札抑板１１で札の上を抑えることにより札の折り畳み癖が若干あっても目視がより効果的になる。
【図面の簡単な説明】
【００１０】
【図１】本考案に係るキャッシュトレーの斜視図である。
【図２】本考案に係る平面発光体の斜視図である。
【図３】本考案に係るキャッシュトレーの断面図である。
【符号の説明】
【００１１】        １・・・キャッシュトレー
２・・・開口部
３・・・平面発光体
４・・・平面発光体の電源収納部
５・・・表面パネル
６・・・裏面パネル
７・・・発光体
８・・・リード線
９・・・電源部
１０・・・スイッチ
１１・・・札抑板
【図１】
0003113577.tif 000003
【図２】
0003113577.tif 000004
【図３】
0003113577.tif 000005
(57)【要約】      （修正有）【課題】チェーンを取り付ける本体と、チェーン、イヤリングが一直線上に位置すること。イヤリングとチェーンに重量がかからないこと。イヤリングの留め金をきつく締めなくてもよいこと。長時間装着しても耳が痛くならないこと。簡単に装着できることを課題とする。【解決手段】イヤリングチェーンの本体１は、めがねフレームのつる同様に、耳の上部付け根にかけられるが、本体とチェーンの安定を図るため、前後の均衡を保つ長さと角度で二分される。チェーン取り付け穴２は、接続部分が目立たないように、本体前面の先端に直接開けられた穴であり、ここにチェーンを通す。チェーン３は、細いチェーンであり、長さはイヤリングを持ち上げるのではなく、耳の下でゆったりとたるみ、イヤリングに届く長さが良い。チェーンの先端に金具４を取り付け、イヤリングの留め金に接続する。【選択図】図１
0003113572.tif 000002
【実用新案登録請求の範囲】
【請求項１】
イヤリングチェーンの本体を、めがねフレームのつるを変形させた形状とし、耳の上部付け根に装着することを特徴とする落下防止用イヤリングチェーン。
【請求項２】
装着する本体を、やじろべー状に、前、後に振り分けて耳にかける形状とし、重量が二分されることを特徴とする請求項１に記載する落下防止用イヤリングチェーン。
【請求項３】
耳の前面に位置する本体の先端にチェーンを取り付ける。耳の後ろに位置する本体は、耳に添わす曲線であり、痛くない、刺激しない長さと材質を用いることを特徴とする請求項１記載の落下防止用イヤリングチェーン。
【考案の詳細な説明】
【技術分野】
【０００１】  この考案は、イヤリングの落下防止用チェーンの形状に関する。
【背景技術】
【０００２】  従来のイヤリング落下防止に用いるチェーンの形状は、ヘヤーピンとチェーンを接合させて、イヤリングの金具に装置し、髪の毛に挟む形状である。
【考案の開示】
【考案が解決しようとする課題】
【０００３】  しかしながら、以上の考案によれば、髪型によって、ヘヤーピンが耳から離れた位置になる。風などにより髪が乱れると、ピンは外れやすい。また、吊り下げたチェーンと、イヤリングの重量がヘヤーピンにかかり、髪からすべり落ちる心配がある。
そこで、この考案は、チェーンを取り付ける本体と、チェーン、イヤリングが一直線上に位置すること。イヤリングとチェーンに重量がかからないこと。イヤリングの留め金をきつく締めなくてもよいこと。長時間装着しても耳が痛くならないこと。簡単に装着できることを課題とする。
【課題を解決するための手段】
【０００４】  以上の課題を解決するために、第一考案は、チェーンを吊す本体を、めがねフレームのつるを変形させた形状とし、耳の上部付け根に装着することを特徴とする落下防止用イヤリングチェーンである。
また、第二考案は、装着する本体を、やじろべー状に、前、後に振り分けて耳にかける形状とし、重量が二分されることを特徴とする落下防止用イヤリングチェーンである。
また、第三考案は、耳の前面に位置する本体の先端にチェーンを取り付ける。耳の後に位置する本体は、耳に添わす曲線であり、痛くない、刺激しない長さと材質を用いることを特徴とする落下防止用イヤリングチェーンである。
【考案の効果】
【０００５】  第一考案によれば、めがねフレームのつる同様、本体が耳にかかった状態であるため、一直線上にあるチェーンは下に垂れ下がり、大きく揺れても安定している。
第二考案によれば、耳の上部付け根において、本体が前後に二分され、安定しているので、チェーンとイヤリングに重量はかからない。また、前後、均衡を保つ長さと角度であるため、本体のぐらつきや、落下を防止する。
第三考案によれば、耳の付け根から下がるチェーンは、イヤリングの金具につながり、落下防止の大きな効果を発揮するが、チェーン自体も華麗な装飾となる。
【考案を実施するための最良の形態】
【０００６】  この考案の一実施形態を、図１に示す。
イヤリングチェーンの本体１は、めがねフレームのつる同様に、耳の上部付け根にかけられるが、本体とチェーンの安定を図るため、前後の均衡を保つ長さと角度で二分されるる。２は、接続部分が目立たないように、本体前面の先端に直接開けられた穴であり、ここにチェーンを通す。３は、細いチェーンであり、長さはイヤリングを持ち上げるのではなく、耳の下でゆったりとたるみ、イヤリングに届く長さが良い。チェーンの先端に金具４を取り付け、イヤリングの留め金に接続する。
【実施形態の効果】
【０００７】  この実施形態によれば、本体が耳の上に挟まれているため、不安定な動きはない。
チェーンとイヤリングの重量は、本体に保護されているため、留め金をきつく締める心配はない。ピアス以外のイヤリングなら留め金の種類に関係なく装置できる。耳を締め付けることがないため頭痛や肩こりが起きないし、金属によるアレルギー症状も減少される。また、女性は耳が小さく薄い傾向にあるので、ピアスには抵抗があり、イヤリングはすぐ落ちるので断念しているという趣旨が多かったが、この考案によって解消される。
【他の実施形態】
【０００８】  図１の実施形態では、既製のイヤリングに、落下防止のイヤリングチェーンを接続する形態であるが、新たなイヤリングを製造する際には、チェーンとイヤリングを合体させて、チェーン付きイヤリングとして加工するのも良い。
【図面の簡単な説明】
【０００９】
【図１】  この考案の実施形態を示す平面図である。
【図２】  耳に装着した形態を示す傾斜図である。
【符号の説明】
【００１０】  １  イヤリングチェーンの本体
２  チェーン取り付け穴
３  チェーン
４  イヤリングと接続する金具
【図１】
0003113572.tif 000003
【図２】
0003113572.tif 000004
(57)【要約】【課題】大型柑橘類の皮は、素手でむくのが困難であるため、刃物又は専用の器具を使用してむくが、その際切傷等の危険があり、また専用の器具は、構造が複雑で製造コストが高くつく、などの欠点の解消。【解決手段】器具本体１に人の爪状の刃２、ヘラ状の突起３及びＶ字型の溝４に鷹の爪状の刃５を設け、これらを一体成型可能な構造とすることにより、この課題を解決する。【選択図】図４
0003113575.tif 000002
【実用新案登録請求の範囲】
【請求項１】
大型柑橘類の皮を切る先端が丸い爪状の刃、ヘラ状の突起及びＶ字型の溝に設けた柑橘類の内果袋の表皮を切り裂く鷹の爪状の刃が一体となった、大型柑橘類の皮むき器具。
【考案の詳細な説明】
【技術分野】
【０００１】  本考案は、大型柑橘類の皮むき器具に関する。
【背景技術】
【０００２】  大型柑橘類の皮は、素手でむくのが困難であるため、従来は包丁、果物ナイフ又は専用の道具で切込みを入れてむいていた。
【考案の開示】
【考案が解決しようとする課題】
【０００３】  しかし、包丁、果物ナイフはいうまでもなく、現在市販されている専用の皮むき器具は、刃先が先鋭であり、幼児などが切傷を被る危険が大であるため、取り扱いに相当の注意を要する。また、従来の専用の皮むき器具は、素材に合成樹脂類と金属を併用したもの、機能別に分割したものなど構造が複雑であり、製造コストが高くつくなどの欠点があった。
【課題を解決するための手段】
【０００４】  本考案は、このような危険性、構造上の欠点を除くために考案されたものである。すなわち、器具本体の上部に湾曲したＶ字型の溝を斜めに設け、その底部の上部に鷹の爪状の刃を設けた（図１、図４）。また、器具本体の上部背面に、先端が丸みを帯びた爪状の刃を有する突起と、器具本体の下部背面にヘラ状の突起とを設けたものである（図１、図２、図３）。これらの刃及び突起は、包丁のように鋭利なものではなく、硬質の合成樹脂を素材として器具本体と一体に成型できる構造とした（図４）。
【考案の効果】
【０００５】  本考案は、このような構造であるから、大型柑橘類の表皮に本器具の上部背面の突起した刃で放射状に切込みを入れ、下部背面のヘラ状の突起を大型柑橘類頂部の表皮に刺し込み、指が入る程度の開口部を作ることにより簡単に皮を剥がすことができるので、かなり力を必要とする指の爪を使う必要がない。また、大型柑橘類内果の実袋の中心側をＶ字型の溝に嵌めて、鷹の爪状の刃の先端を袋の背面の薄皮の部分に刺し込み、本器具を斜め下方に湾曲に沿って回転させながら滑らすことによって、袋の中心側の比較的切れやすい部分の皮を切り裂くことができる。【０００６】  鷹の爪状の刃は、先端が鋭く尖っているが、狭い溝の底部にあるので容易に指などに触れることはなく安全である。また、背面の爪状の刃やヘラ状の突起は先端を丸くし、刃の部分についても金属の刃物のように鋭くないから、よほど強い力で押し当てない限り、指などを容易に傷付けることはない。【０００７】  さらに、本器具全体を同一の合成樹脂類を素材として一体型に成型することができるので、製造工程が簡略になり、製造コストを大幅に下げることができる。【０００８】  したがって、大型柑橘類生産農家等が、一定量のまとまった単位で購入する消費者に、おまけとして付けることが可能となるので、消費拡大、販売促進等の効果が期待できる。
【考案を実施するための最良の形態】
【０００９】  図１は、本考案に係る大型柑橘類の皮むき器の正面図、図２は同じく側面図、図３は同じく背面図、図４は同じく断面図、図５は同じく平面図、図６は同じく底面図、である。【００１０】  本考案に係る大型柑橘類の皮むき器により大型柑橘類の皮をむくには、まず、本体１の上部背面に設けた爪状の刃２を、大型柑橘類の頂部付近の表皮に押し当てて放射状に切込みを入れる。次に本体１の下部背面に設けたヘラ状の突起３を、大型柑橘類の頂部付近の表皮に刺し込み、本体１を捏ね上げて開口部を作る。そこに指を入れて表皮を外側に剥がすことにより、大型柑橘類の厚い表皮を容易にむくことができる。【００１１】  本考案に係る大型柑橘類の皮むき器により大型柑橘類内果の実袋の皮をむくには、実袋の中心側を、本体１の上部正面に設けたＶ字型の溝（ガイド部）４に嵌め、鷹の爪状の刃５の尖った先端を、実袋背面の薄い表皮に刺し、そのまま本体１を下方に滑らせることにより、実袋の中心側の表皮を切り裂く。しかる後指で表皮を取り除けば、簡単にみかんの内果を食することができる。【００１２】  本考案に係る大型柑橘類の皮むき器本体１の大きさは、大人の掌よりやや大きい程度にし、２ミリメートル程度の肉厚で中空にする。背面の爪状の刃２は、突起の高さを８ミリメートル程度にし、先端は丸く下方に鋭利でない刃を設ける。背面のヘラ状の突起３は、高さ約３センチメートルで先端は丸く、図４に示すように先端に行くに従って厚さを薄くし、最先端で０．５ミリメートル程度の厚さにする。上部のＶ字型の溝４の開口部の角度は約３０度にする。鷹の爪状の刃５は、図４に示すような形状とし、下方はやや鋭い刃にする。全体の素材は、一体成型が可能な比較的硬質で弾性のある合成樹脂が望ましい。
【図面の簡単な説明】
【００１３】
【図Ｉ】本考案にかかる大型柑橘類の皮むき器の正面図である。
【図２】本考案にかかる大型柑橘類の皮むき器の側面図である。
【図３】本考案にかかる大型柑橘類の皮むき器の背面図である。
【図４】本考案にかかる器具の図３Ａ−Ｂの断面図である。
【図５】本考案にかかる大型柑橘類の皮むき器の平面図である。
【図６】本考案にかかる大型柑橘類の皮むき器の底面図である。
【符号の説明】
【００１４】１    本体
２    爪状の刃
３    ヘラ状の突起
４    Ｖ字型の溝
５    鷹の爪状の刃
【図１】
0003113575.tif 000003
【図２】
0003113575.tif 000004
【図３】
0003113575.tif 000005
【図４】
0003113575.tif 000006
【図５】
0003113575.tif 000007
【図６】
0003113575.tif 000008
(57)【要約】【課題】  従来の犬のパンツの形状は、健康なペット犬を対象にし、可愛らしさ、体裁の良さ、使い捨てを特徴とするものが多く、犬が老齢となったり、怪我などで人間の介護が必要となった場合に於いては、脱げやすい、装着に時間がかかる、値段が高い、などの問題がある。また、腰から下を覆う形状のため、下半身を締め付け体に悪影響を及ぼす。介護期間が長期になると、家計への負担が大きい。【解決手段】  脱着を簡単にするため、背中の中心部分をマジックテープで開閉する形状とする。長期介護にも耐えうる通気性、伸縮性に富んだ素材メッシュ地を使用し、排尿状況の確認を容易にする。家計への負担を最小限にするため、人間の尿取りパットを利用できる形状とする。脱げないように全身を包み、パットのずれや落下を防止する。首回りの調節、胴の長さを調節する金具を施し、前脚、後ろ脚、しっぽの入る部分はパイピング、ゴムを入れて体にフィットさせる。【選択図】  図２
0003113573.tif 000002
【実用新案登録請求の範囲】
【請求項１】
長期の使用に耐えうる素材、通気性、伸縮性に富んだメッシュ地を使用し、脱げないように犬の体全体を覆うことを特徴とする犬の介護パンツ・シースルーパンツ。
【請求項２】
首から装着し、背の中心部をマジックテープで開閉する形状で、脱着が簡単である、尻部をマジックテープで接合し、尿取りパットの交換が容易にできることを特徴とする請求項１記載の犬の介護パンツ・シースルーパンツ。
【請求項３】
首回りの調節、胴の長さ調節をすることにより、体型にフィットし、転んでも、座り込んでも脱げないことを特徴とする請求項１記載の犬の介護パンツ・シースルーパンツ。
【考案の詳細な説明】
【技術分野】
【０００１】  この考案は、犬の介護パンツの形状に関する。
【背景技術】
【０００２】  従来の犬用介護パンツの形態は、しっぽを穴に通してからテープで留める形状であり、健康な犬の生理時、また、怪我などによる短期間の介護に適する、腰までを覆う、使い捨て用として考案されたパンツである。
【考案の開示】
【考案が解決しようとする課題】
【０００３】  しかしながら、以上の考案によれば、犬はしっぽを触られることを嫌うため、逃げまわり装着に時間がかかる。また、不安のため座り込むのでしっかりテープが止められない。腰までの形態なので脱げやすく、使い捨てなので不経済である。
そこで、この考案は、長期の使用にも耐えうる素材と形状であること、犬の恐怖心を抑え、素早く装着でき、脱げずらいこと、首回り、胴の長さを調整可能にし、体型の変化に対応できること、また、人間の尿取りパットを利用して家計への負担を軽減させることを課題とする。
【課題を解決するための手段】
【０００４】  以上の課題を解決するために、第一考案は、長期の使用に耐えうる素材、通気性と伸縮性に富んだメッシュ地を使用し、脱げないように、犬の体全体を覆うことを特徴とする犬の介護パンツ・シースルーパンツである。
また、第二考案は、犬の顔を正面にして首から装着すること、背の中心部をマジックテープで開閉する形状とし脱着を簡単にする。また、尻部をマジックテープで接合することにより、尿取りパットの交換が容易にできることを特徴とする犬の介護パンツである。
また、第三考案は、首回りの調節、胴の長さ調節をすることにより、体型にフィットし、転んでも、座り込んでも脱げないことを特徴とする犬の介護パンツである。
【考案の効果】
【０００５】  第一考案によれば、通気性に富むメッシュ地のため、犬の体が蒸れることがなく、適度の伸縮により犬の動きに無理がない。排尿の状況が分かりやすく、パット交換の目安となる。また、全身を覆うため、転んでも、座り込んでも脱げることがないので人間の尿取りパットを利用しても落ちることがなく、介護に要する時間と、家計への負担を軽減できる。
第二考案によれば、犬の顔を見ながら首回りを固定し、安心感を与えながら素早く着せられるので、犬、飼い主に負担がかからなく、ゆとりをもってしっかり装着できる。就寝時は、背中心部のマジックテープを外すと簡単に脱がせられる。尻部のマジックテープの接合により、尿取りパットの交換が容易であり、清潔を保ちながら、家計への負担を軽減する課題が解決できた。また、背面、しっぽが入る部分のカットを大きくすることにより、装着したままの排便も可能である。
第三考案によれば、首回りの調節、胴の長さを調節することにより、体型に変化があった場合でも適時対応でき、体を締め付けたり、だぶついて脱げたりすることはない。
【考案を実施するための最良の形態】
【０００６】この考案の一実施形態を、図１に示す。
全長Ａ、の寸法は首からしっぽの付け根までの長さ、横幅Ｂ、の寸法は胴回り寸法、Ａ、Ｂとも、犬種により大差があるので一応の採寸は必要。介護パンツの腹面１、背面２、はメッシュ地であり、通気性と伸縮性を保つ。３のカープ部分は、前脚が入るところであり、パイピングを施してゴムを入れ、脚の付け根に添わす。４は、首の部分であり、犬は、喉から胸にかけてのふくらみがあるので、腹面はタックを取りゆるみを持たす。背面はゆるみなし。５は、首を囲む布テープであり、先端に取り付けた金具１２ａで接合、首回りを調節する。６は、背中中心の持ち出し部で、マジックテープ１３ａ、１３ｂ、１３ｃで簡単に開閉できる。７のカーブ部分は、後ろ脚が入るところであり、パイピング、ゴムを入れて脚の付け根に添わす。８のカーブ部分は、しっぽが入る部分であり、尻にフィットするようパイピングを施しゴムを入れる、この部分のカットを大きくすることにより、装着したまま排便も可能である。９は、布テープ１０の取り付け部であり、ギャザーを寄せることにより、尻のふくらみにフィットする。布テープ１０と１１を金具１２ｂで接合し、胴の長さを調節する。布テープ１１の先端にマジックテープ１４ａを縫いつけ、背面腰上のマジックテープ１４ｂと接合、尿取りパット１５の交換を容易にする。
【実施例】
【実施形態の効果】
【０００７】  この実施形態によれば、犬の体を優しく保護できる。脱着もパット交換も簡単であるが、犬自体の動きによってパットが落ちたり、脱げたりはしない。また、人間の尿取りパットを利用することにより介護費用の削減を図り、最後まで飼い主の責任を果たすことができる。
【他の実施形態】
【０００８】  図１の実施形態では、首回りの調節、胴の長さ調節に、金具１２ａ、１２ｂを施したが、皮膚の弱い犬、衰弱した犬には金具を外し、リボン状に結んでも良い。
【図面の簡単な説明】
【０００９】
【図１】  この考案の一実施形態を示す平面図である。
【図２】  着用の実施形態を示す側面図である。
【符号の説明】
【００１０】１、２、  介護パンツ身頃
３、      前脚の入る部分
４、      首の入る部分
５、      首を囲む布テープ
６、      背中心部持ち出し布
７、      後ろ脚の入る部分
８、      しっぽの入る部分
９、      胴の長さ調節テープ取り付け部分
１０、１１  胴の長さ調節布テープ
１２ａ、    首回りを調節する金具
１２ｂ、    胴の長さを調節する金具
１３ａ、ｂ、ｃ、  背中心部を開閉するマジックテープ
１４ａ、ｂ、      尻部を開閉するマジックテープ
１５、    尿取りパットの位置
【図１】
0003113573.tif 000003
【図２】
0003113573.tif 000004